(57)【要約】【課題】利用性の高い作業情報を効率的に参照可能とした作業管理プログラム及び作業管理システム並びにプログラムを記録したコンピュータ読取り可能な記録媒体の提供。【解決手段】コンピュータに、作業対象であるジョブに設定された作業を管理する機能を実現させる作業管理プログラムであって、前記作業の作業名と作業状態とを含む作業情報を記憶する作業情報記憶機能と、前記作業状態を、予定、エントリー、完了のいずれか１つの作業状態区分に区分する区分機能と、前記区分機能によって区分された前記作業状態区分が予定又は完了の作業情報であって且つ予め定めた条件を満たす作業情報と、前記作業状態区分がエントリーの作業情報とを選択する選択機能と、前記選択された作業情報を取得する取得機能と、前記取得した作業情報を表示する表示機能とをコンピュータに実現させる作業管理プログラム、該プログラムにより実現される作業管理システム及び該プログラムを記録したコンピュータ読取り可能な記録媒体。【選択図】          なし【特許請求の範囲】
【請求項１】
コンピュータに、作業対象であるジョブに設定された作業を管理する機能を実現させる作業管理プログラムであって、
前記作業の作業名と作業状態とを含む作業情報を記憶する作業情報記憶機能と、
前記作業状態を、予定、エントリー、完了のいずれか１つの作業状態区分に区分する区分機能と、
前記区分機能によって区分された前記作業状態区分が予定又は完了の作業情報であって且つ予め定めた条件を満たす作業情報と、前記作業状態区分がエントリーの作業情報とを選択する選択機能と、
前記選択された作業情報を取得する取得機能と、
前記取得した作業情報を表示する表示機能とをコンピュータに実現させることを特徴とする作業管理プログラム。
【請求項２】
前記作業情報は、作業名、作業状態、エントリー計画日付、完了実績日付とを含むことを特徴とする請求項１記載の作業管理プログラム。
【請求項３】
予定範囲日数及び完了範囲日数を記憶する範囲日数記憶機能と現在日付を記憶する現在日記憶機能とをコンピュータに実現させ、前記選択機能において予め定めた条件が、作業状態区分が予定である作業情報については式１を満たすことであり、作業状態区分が完了である作業情報については式２を満たすことであることを特徴とする請求項２記載の作業管理プログラム。
（式１）エントリー計画日付≦現在日付＋予定範囲日数
（式２）完了実績日付≧現在日付−完了範囲日数
【請求項４】
予定範囲日数及び完了範囲日数を記憶する範囲日数記憶機能と現在日付を記憶する現在日記憶機能とをコンピュータに実現させ、前記選択機能において予め定めた条件が、作業状態区分が予定である作業情報については式３を満たすことであり、作業状態区分が完了である作業情報については式４を満たすことであることを特徴とする請求項２記載の作業管理プログラム。
（式３）エントリー計画日付＜現在日付＋予定範囲日数
（式４）完了実績日付＞現在日付−完了範囲日数
【請求項５】
予定範囲日数及び完了範囲日数を記憶する範囲日数記憶機能と現在日時を記憶する現在日記憶機能とをコンピュータに実現させ、前記選択機能において予め定めた条件が、作業状態区分が予定である作業情報については式５を満たすことであり、作業状態区分が完了である作業情報については式６を満たすことであることを特徴とする請求項２記載の作業管理プログラム。
（式５）エントリー計画日時≦現在日時＋予定範囲日数
（式６）完了実績日時≧現在日時−完了範囲日数
【請求項６】
予定範囲日数及び完了範囲日数を記憶する範囲日数記憶機能と現在日時を記憶する現在日記憶機能とをコンピュータに実現させ、前記選択機能において予め定めた条件が、作業状態区分が予定である作業情報については式７を満たすことであり、作業状態区分が完了である作業情報については式８を満たすことであることを特徴とする請求項２記載の作業管理プログラム。
（式７）エントリー計画日時＜現在日時＋予定範囲日数
（式８）完了実績日時＞現在日時−完了範囲日数
【請求項７】
前記作業状態は、予約、未着手、開始、中断、終了、確定を含み、未着手であり且つ着手不可の作業の作業状態を予約とし、未着手であり且つ着手可の作業の作業状態を未着手とし、作業中の作業の作業状態を開始とし、作業中断された作業の作業状態を中断とし、作業終了され且つ再開可能の作業の作業状態を終了とし、作業終了され且つ再開不可の作業の作業状態を確定とすることを特徴とする請求項１〜６の何れかに記載の作業管理プログラム。
【請求項８】
前記区分機能は、作業状態が予約の作業情報を予定の作業状態区分に区分し、作業状態が未着手、開始、中断、終了の作業情報をエントリーの作業状態区分に区分し、作業状態が確定の作業情報を完了の作業状態区分に区分することを特徴とする請求項１〜７の何れかに記載の作業管理プログラム。
【請求項９】
前記表示機能において表示する作業情報を更新する指示を受け付ける更新機能をコンピュータに実現させ、該更新機能で更新する指示を受け付けた場合に前記選択機能における選択、該選択に基づく取得手段における取得、該取得に基づく表示機能における表示を行うことを特徴とする請求項１〜８の何れかに記載の作業管理プログラム。
【請求項１０】
作業対象であるジョブに設定された作業を管理する手段を有する作業管理システムであって、
前記作業の作業名と作業状態とを含む作業情報を記憶する作業情報記憶手段と、
前記作業状態を、予定、エントリー、完了のいずれか１つの作業状態区分に区分する区分手段と、
前記区分機能によって区分された前記作業状態区分が予定又は完了の作業情報であって且つ予め定めた条件を満たす作業情報と、前記作業状態区分がエントリーの作業情報を選択する選択手段と、
前記選択された作業情報を取得する取得手段と、
前記取得した作業情報を表示する表示手段とを有することを特徴とする作業管理システム。
【請求項１１】
前記作業情報は、作業名、作業状態、エントリー計画日付、完了実績日付とを含むことを特徴とする請求項１０記載の作業管理システム。
【請求項１２】
予定範囲日数及び完了範囲日数を記憶する範囲日数記憶手段と現在日付を記憶する現在日記憶手段とを有し、前記選択手段において予め定めた条件が、作業状態区分が予定である作業情報については式１を満たすことであり、作業状態区分が完了である作業情報については式２を満たすことであることを特徴とする請求項１１記載の作業管理システム。
（式１）エントリー計画日付≦現在日付＋予定範囲日数
（式２）完了実績日付≧現在日付−完了範囲日数
【請求項１３】
予定範囲日数及び完了範囲日数を記憶する範囲日数記憶手段と現在日付を記憶する現在日記憶手段とを有し、前記選択手段において予め定めた条件が、作業状態区分が予定である作業情報については式３を満たすことであり、作業状態区分が完了である作業情報については式４を満たすことであることを特徴とする請求項１１記載の作業管理システム。
（式３）エントリー計画日付＜現在日付＋予定範囲日数
（式４）完了実績日付＞現在日付−完了範囲日数
【請求項１４】
予定範囲日数及び完了範囲日数を記憶する範囲日数記憶手段と現在日時を記憶する現在日記憶手段とを有し、前記選択手段において予め定めた条件が、作業状態区分が予定である作業情報については式５を満たすことであり、作業状態区分が完了である作業情報については式６を満たすことであることを特徴とする請求項１１記載の作業管理システム。
（式５）エントリー計画日時≦現在日時＋予定範囲日数
（式６）完了実績日時≧現在日時−完了範囲日数
【請求項１５】
予定範囲日数及び完了範囲日数を記憶する範囲日数記憶手段と現在日時を記憶する現在日記憶手段とを有し、前記選択手段において予め定めた条件が、作業状態区分が予定である作業情報については式７を満たすことであり、作業状態区分が完了である作業情報については式８を満たすことであることを特徴とする請求項１１記載の作業管理システム。
（式７）エントリー計画日時＜現在日時＋予定範囲日数
（式８）完了実績日時＞現在日時−完了範囲日数
【請求項１６】
前記作業状態は、予約、未着手、開始、中断、終了、確定を含み、未着手であり且つ着手不可の作業の作業状態を予約とし、未着手であり且つ着手可の作業の作業状態を未着手とし、作業中の作業の作業状態を開始とし、作業中断された作業の作業状態を中断とし、作業終了され且つ再開可能の作業の作業状態を終了とし、作業終了され且つ再開不可の作業の作業状態を確定とすることを特徴とする請求項１０〜１５の何れかに記載の作業管理システム。
【請求項１７】
前記区分手段は、作業状態が予約の作業情報を予定の作業状態区分に区分し、作業状態が未着手、開始、中断、終了の作業情報をエントリーの作業状態区分に区分し、作業状態が確定の作業情報を完了の作業状態区分に区分することを特徴とする請求項１０〜１６の何れかに記載の作業管理システム。
【請求項１８】
前記表示手段において表示する作業情報を更新する指示を受け付ける更新手段を有し、該更新手段で更新する指示を受け付けた場合に前記選択手段における選択、該選択に基づく取得手段における取得、該取得に基づく表示手段における表示を行うことを特徴とする請求項１０〜１７の何れかに記載の作業管理システム。
【請求項１９】
請求項１乃至請求項９の何れかに記載のプログラムを記録したコンピュータ読取り可能な記録媒体。
【発明の詳細な説明】
【０００１】
【発明の属する技術分野】
本発明は、作業管理プログラム及び作業管理システム並びにプログラムを記録したコンピュータ読取り可能な記録媒体に関し、詳しくは作業の進行状況を管理することができる作業管理プログラム及び作業管理システム並びにプログラムを記録したコンピュータ読取り可能な記録媒体に関する。
【０００２】
【従来の技術】
従来、コンピュータに作業の進行状況を表示させることにより作業を管理するプログラムが知られている。例えば、管理する作業毎にその作業を管理するための情報を作業情報として表示することによって作業の管理を可能としている。
【０００３】
このようなプログラムにおいて、例えばプリプレス業務のように業務が多くの作業に細分化され、管理対象となる作業が非常に多いような場合、表示すべき個々の作業情報の数が膨大となるため、目的となる作業の作業情報がどこに表示されているのかが分かりづらく、管理業務が滞るという問題があった。
【０００４】
そこで、本発明者は、作業の作業状態は予定、エントリー、完了の３つの状態に大きく分けられる点、エントリー中の作業は作業状態が変動しやすく作業を管理する上で重要である点に注目して、作業状態がエントリーの作業のみを表示する方法を考えた。
【０００５】
しかし、作業状態が予定又は完了の作業の作業情報を参照してエントリー中の作業を行うことが便利な場合がある。例えば、作業状態が予定の作業のエントリー計画日、即ち作業状態がエントリーとなる日を作業情報として参照することによって、現在エントリー中の作業の作業速度を調整することができる。また、例えば、１つの作業対象について予定→エントリー→完了の作業状態を繰り返すことによって完成する態様の作業においては、一連の作業状態が繰り返される作業を１サイクル毎に版として管理し、現在の作業は１つ前の版の作業の結果物をもとに作業を行っているが、このような作業においては、作業状態が完了の作業の作業内容を作業情報として参照できれば、かかる作業情報を参考にして段取り作業の効率アップを図ったり、現在エントリー中の作業内容を適切な内容に変更できる。また、エントリー計画日を経過した作業は、管理の重要度が高いので、エントリー中の作業と同様に管理することが望まれる。
【０００６】
そこで、本発明者は更に検討を進めたところ、作業状態が予定の作業については、エントリー予定日が現在日と近い作業ほど作業を行わなければならない度合いが高いという点、作業状態が完了の作業については、一連の作業が繰り返される場合は、完了実績日、即ち当該作業の作業状態が実際に完了となった日が現在日と近い作業ほど現在エントリー中の作業と関わりが深いという点に着目し、本発明に至った。
【０００７】
【発明が解決しようとする課題】
本発明の課題は、利用性の高い作業情報を効率的に参照可能とした作業管理プログラム及び作業管理システム並びにプログラムを記録したコンピュータ読取り可能な記録媒体を提供することにある。
【０００８】
本発明の他の課題は、本明細書の以下の記載によって明らかになる。
【０００９】
【課題を解決するための手段】
上記課題は、以下の各発明によって解決される。
【００１０】
（請求項１）コンピュータに、作業対象であるジョブに設定された作業を管理する機能を実現させる作業管理プログラムであって、前記作業の作業名と作業状態とを含む作業情報を記憶する作業情報記憶機能と、前記作業状態を、予定、エントリー、完了のいずれか１つの作業状態区分に区分する区分機能と、前記区分機能によって区分された前記作業状態区分が予定又は完了の作業情報であって且つ予め定めた条件を満たす作業情報と、前記作業状態区分がエントリーの作業情報とを選択する選択機能と、前記選択された作業情報を取得する取得機能と、前記取得した作業情報を表示する表示機能とをコンピュータに実現させることを特徴とする作業管理プログラム。
【００１１】
（請求項２）前記作業情報は、作業名、作業状態、エントリー計画日付、完了実績日付とを含むことを特徴とする請求項１記載の作業管理プログラム。
【００１２】
（請求項３）予定範囲日数及び完了範囲日数を記憶する範囲日数記憶機能と現在日付を記憶する現在日記憶機能とをコンピュータに実現させ、前記選択機能において予め定めた条件が、作業状態区分が予定である作業情報については式１を満たすことであり、作業状態区分が完了である作業情報については式２を満たすことであることを特徴とする請求項２記載の作業管理プログラム。
【００１３】
（式１）エントリー計画日付≦現在日付＋予定範囲日数
【００１４】
（式２）完了実績日付≧現在日付−完了範囲日数
【００１５】
（請求項４）予定範囲日数及び完了範囲日数を記憶する範囲日数記憶機能と現在日付を記憶する現在日記憶機能とをコンピュータに実現させ、前記選択機能において予め定めた条件が、作業状態区分が予定である作業情報については式３を満たすことであり、作業状態区分が完了である作業情報については式４を満たすことであることを特徴とする請求項２記載の作業管理プログラム。
【００１６】
（式３）エントリー計画日付＜現在日付＋予定範囲日数
【００１７】
（式４）完了実績日付＞現在日付−完了範囲日数
【００１８】
（請求項５）予定範囲日数及び完了範囲日数を記憶する範囲日数記憶機能と現在日時を記憶する現在日記憶機能とをコンピュータに実現させ、前記選択機能において予め定めた条件が、作業状態区分が予定である作業情報については式５を満たすことであり、作業状態区分が完了である作業情報については式６を満たすことであることを特徴とする請求項２記載の作業管理プログラム。
【００１９】
（式５）エントリー計画日時≦現在日時＋予定範囲日数
【００２０】
（式６）完了実績日時≧現在日時−完了範囲日数
【００２１】
（請求項６）予定範囲日数及び完了範囲日数を記憶する範囲日数記憶機能と現在日時を記憶する現在日記憶機能とをコンピュータに実現させ、前記選択機能において予め定めた条件が、作業状態区分が予定である作業情報については式７を満たすことであり、作業状態区分が完了である作業情報については式８を満たすことであることを特徴とする請求項２記載の作業管理プログラム。
【００２２】
（式７）エントリー計画日時＜現在日時＋予定範囲日数
【００２３】
（式８）完了実績日時＞現在日時−完了範囲日数
【００２４】
（請求項７）前記作業状態は、予約、未着手、開始、中断、終了、確定を含み、未着手であり且つ着手不可の作業の作業状態を予約とし、未着手であり且つ着手可の作業の作業状態を未着手とし、作業中の作業の作業状態を開始とし、作業中断された作業の作業状態を中断とし、作業終了され且つ再開可能の作業の作業状態を終了とし、作業終了され且つ再開不可の作業の作業状態を確定とすることを特徴とする請求項１〜６の何れかに記載の作業管理プログラム。
【００２５】
（請求項８）前記区分機能は、作業状態が予約の作業情報を予定の作業状態区分に区分し、作業状態が未着手、開始、中断、終了の作業情報をエントリーの作業状態区分に区分し、作業状態が確定の作業情報を完了の作業状態区分に区分することを特徴とする請求項１〜７の何れかに記載の作業管理プログラム。
【００２６】
（請求項９）前記表示機能において表示する作業情報を更新する指示を受け付ける更新機能をコンピュータに実現させ、該更新機能で更新する指示を受け付けた場合に前記選択機能における選択、該選択に基づく取得手段における取得、該取得に基づく表示機能における表示を行うことを特徴とする請求項１〜８の何れかに記載の作業管理プログラム。
【００２７】
（請求項１０）作業対象であるジョブに設定された作業を管理する手段を有する作業管理システムであって、前記作業の作業名と作業状態とを含む作業情報を記憶する作業情報記憶手段と、前記作業状態を、予定、エントリー、完了のいずれか１つの作業状態区分に区分する区分手段と、前記区分機能によって区分された前記作業状態区分が予定又は完了の作業情報であって且つ予め定めた条件を満たす作業情報と、前記作業状態区分がエントリーの作業情報を選択する選択手段と、前記選択された作業情報を取得する取得手段と、前記取得した作業情報を表示する表示手段とを有することを特徴とする作業管理システム。
【００２８】
（請求項１１）前記作業情報は、作業名、作業状態、エントリー計画日付、完了実績日付とを含むことを特徴とする請求項１０記載の作業管理システム。
【００２９】
（請求項１２）予定範囲日数及び完了範囲日数を記憶する範囲日数記憶手段と現在日付を記憶する現在日記憶手段とを有し、前記選択手段において予め定めた条件が、作業状態区分が予定である作業情報については式１を満たすことであり、作業状態区分が完了である作業情報については式２を満たすことであることを特徴とする請求項１１記載の作業管理システム。
【００３０】
（式１）エントリー計画日付≦現在日付＋予定範囲日数
【００３１】
（式２）完了実績日付≧現在日付−完了範囲日数
【００３２】
（請求項１３）予定範囲日数及び完了範囲日数を記憶する範囲日数記憶手段と現在日付を記憶する現在日記憶手段とを有し、前記選択手段において予め定めた条件が、作業状態区分が予定である作業情報については式３を満たすことであり、作業状態区分が完了である作業情報については式４を満たすことであることを特徴とする請求項１１記載の作業管理システム。
【００３３】
（式３）エントリー計画日付＜現在日付＋予定範囲日数
【００３４】
（式４）完了実績日付＞現在日付−完了範囲日数
【００３５】
（請求項１４）予定範囲日数及び完了範囲日数を記憶する範囲日数記憶手段と現在日時を記憶する現在日記憶手段とを有し、前記選択手段において予め定めた条件が、作業状態区分が予定である作業情報については式５を満たすことであり、作業状態区分が完了である作業情報については式６を満たすことであることを特徴とする請求項１１記載の作業管理システム。
【００３６】
（式５）エントリー計画日時≦現在日時＋予定範囲日数
【００３７】
（式６）完了実績日時≧現在日時−完了範囲日数
【００３８】
（請求項１５）予定範囲日数及び完了範囲日数を記憶する範囲日数記憶手段と現在日時を記憶する現在日記憶手段とを有し、前記選択手段において予め定めた条件が、作業状態区分が予定である作業情報については式７を満たすことであり、作業状態区分が完了である作業情報については式８を満たすことであることを特徴とする請求項１１記載の作業管理システム。
【００３９】
（式７）エントリー計画日時＜現在日時＋予定範囲日数
【００４０】
（式８）完了実績日時＞現在日時−完了範囲日数
【００４１】
（請求項１６）前記作業状態は、予約、未着手、開始、中断、終了、確定を含み、未着手であり且つ着手不可の作業の作業状態を予約とし、未着手であり且つ着手可の作業の作業状態を未着手とし、作業中の作業の作業状態を開始とし、作業中断された作業の作業状態を中断とし、作業終了され且つ再開可能の作業の作業状態を終了とし、作業終了され且つ再開不可の作業の作業状態を確定とすることを特徴とする請求項１０〜１５の何れかに記載の作業管理システム。
【００４２】
（請求項１７）前記区分手段は、作業状態が予約の作業情報を予定の作業状態区分に区分し、作業状態が未着手、開始、中断、終了の作業情報をエントリーの作業状態区分に区分し、作業状態が確定の作業情報を完了の作業状態区分に区分することを特徴とする請求項１０〜１６の何れかに記載の作業管理システム。
【００４３】
（請求項１８）前記表示手段において表示する作業情報を更新する指示を受け付ける更新手段を有し、該更新手段で更新する指示を受け付けた場合に前記選択手段における選択、該選択に基づく取得手段における取得、該取得に基づく表示手段における表示を行うことを特徴とする請求項１０〜１７の何れかに記載の作業管理システム。
【００４４】
（請求項１９）請求項１乃至請求項９の何れかに記載のプログラムを記録したコンピュータ読取り可能な記録媒体。
【００４５】
【発明の実施の形態】
以下、本発明の実施の形態を図面に基づいて説明する。
【００４６】
まず、本発明の作業管理システムについて図１乃至図５に基づいて説明する。
【００４７】
本発明の作業管理システムは、図１に示すように、作業情報記憶手段１、区分手段２、選択手段３、取得手段４、表示手段５を備えており、好ましくは範囲日数記憶手段６、現在日記憶手段７、更新手段８、作業情報変更手段９を備えている。
【００４８】
図１において、作業情報記憶手段１は、作業対象であるジョブに設定された作業を管理するために前記作業の作業名と作業状態を含む作業情報を記憶する。作業対象であるジョブには複数の作業を設定することができ、ジョブに設定された作業が多い程本発明の作業管理システムの効果を発揮する上で好ましい。
【００４９】
作業情報記憶手段１に記憶される作業情報は、作業名、作業状態、エントリー計画日付、完了実績日付を含むことが好ましい。作業情報記憶手段１は、例えば、図２に示すような作業情報テーブル１０を設けることができる。後述する選択手段３で好ましい選択を行うためである。
【００５０】
エントリー計画日付は、作業が着手可能となる予定の日を示す情報であり、例えば、２０００年１０月１１日等である。完了実績日付は、作業が終了し且つ再開不可とされた日を示す情報であり、例えば、２０００年１１月１１日等である。
【００５１】
また、作業状態は、予約、未着手、開始、中断、終了、確定を含むことが好ましい。このとき、未着手であり且つ着手不可の作業の作業状態を予約とし、未着手であり且つ着手可の作業の作業状態を未着手とし、作業中の作業の作業状態を開始とし、作業中断された作業の作業状態を中断とし、作業終了され且つ再開可能の作業の作業状態を終了とし、作業終了され且つ再開不可の作業の作業状態を確定として作業情報記憶手段１は作業状態を記憶している。
【００５２】
着手可とは、例えば作業対象物である作業が設定されたジョブのデータに対して作業者が作業可能な状態となっている状態であり、着手不可とは、着手可でない状態である。
【００５３】
また、作業情報記憶手段１の作業情報は、好ましく設けられる作業情報変更手段９によって変更される。作業情報変更手段９は、ユーザの入力を受け付けて当該入力に基づいて作業情報の変更を行うことができる。例えば、図３に示すように、作業状態が予約である作業に対してエントリーのコマンドを入力すると、作業状態を未着手に変更する。同様に、実行前の作業状態に対してコマンドを入力すると作業状態を所定の作業状態に変更する。
【００５４】
区分手段２は、前記作業状態を、予定、エントリー、完了のいずれか１つの作業状態区分に区分する。区分手段２による区分は、図２に示すような作業状態情報テーブル２０を設け、該テーブルにより作業状態が予約の作業情報を予定の作業状態区分に区分し、作業状態が未着手、開始、中断、終了の作業情報をエントリーの作業状態区分に区分し、作業状態が確定の作業情報を完了の作業状態区分に区分することが好ましい。区分手段２の作業状態情報テーブル２０は、例えば、図４に示すように、作業状態を区分するテーブルとすることができる。
【００５５】
選択手段３は、前記区分手段によって区分された前記作業状態区分が予定又は完了の作業情報であって且つ予め定めた条件を満たす作業情報と、前記作業状態区分がエントリーの作業情報を選択する。
【００５６】
また、予定範囲日数及び完了範囲日数を記憶する範囲日数記憶手段６と現在日付を記憶する現在日記憶手段７とを備えていることが好ましい。範囲日数記憶手段６は、図２に示すような取得範囲情報テーブル６０として構成することができる。
【００５７】
範囲日数記憶手段６及び現在日記憶手段７を設けたとき、前記選択手段３は、図５に示すように、範囲日数記憶手段６から予定範囲日数と完了範囲日数を取得し（Ｓ１）、現在日記憶手段７から現在日付を取得し（Ｓ２）、予め定めた条件で選択する（Ｓ３）。
【００５８】
Ｓ３の予め定めた条件には、４つの態様がある。第１の態様は、作業状態区分が予定である作業情報については式１を満たすことであり、作業状態区分が完了である作業情報については式２を満たすことである。
【００５９】
（式１）エントリー計画日付≦現在日付＋予定範囲日数
【００６０】
（式２）完了実績日付≧現在日付−完了範囲日数
【００６１】
式１を満たすのは、例えば、現在日付が４月３日で予定範囲日数が３日であるときは、エントリー計画日付が４月３日の３日後の４月６日以前の作業である。
【００６２】
式２を満たすのは、例えば、現在日付が４月３日で完了範囲日数が２日であるときは、作業が完了した完了実績日付が４月３日の２日前の４月１日以降である作業である。
【００６３】
第２の態様は、上記式１の代わりに式３を満たすこと、式２の代わりに式４を満たすことである。
【００６４】
（式３）エントリー計画日付＜現在日付＋予定範囲日数
【００６５】
（式４）完了実績日付＞現在日付−完了範囲日数
【００６６】
式３を満たすのは、例えば、現在日付が４月３日で予定範囲日数が３日であるときは、エントリー計画日付が４月３日の３日後の４月６日よりも前（４月６日は含まず）の作業である。
【００６７】
式４を満たすのは、例えば、現在日付が４月３日で完了範囲日数が２日であるときは、作業が完了した完了実績日付が４月３日の２日前の４月１日より後（４月１日は含まず）の作業である。
【００６８】
第３の態様は、上記式１の代わりに式５を満たすこと、式２の代わりに式６を満たすことである。
【００６９】
（式５）エントリー計画日時≦現在日時＋予定範囲日数
【００７０】
（式６）完了実績日時≧現在日時−完了範囲日数
【００７１】
式５を満たすのは、例えば、現在日時が４月３日１５時で予定範囲日数が３日であるときは、エントリー計画日時が４月３日１５時の３日後の４月６日１５時以前の作業である。
【００７２】
式６を満たすのは、例えば、現在日時が４月３日１５時で完了範囲日数が２日であるときは、作業が完了した完了実績日時が４月３日の２日前の４月１日１５時以降の作業である。
【００７３】
第４の態様は、上記式１の代わりに式７を満たすこと、式２の代わりに式８を満たすことである。
【００７４】
（式７）エントリー計画日時＜現在日時＋予定範囲日数
【００７５】
（式８）完了実績日時＞現在日時−完了範囲日数
【００７６】
式７を満たすのは、例えば、現在日付が４月３日１５時で予定範囲日数が３日であるときは、エントリー計画日時が４月３日１５時の３日後の４月６日１５時よりも前（４月６日１５時は含まず）である作業である。
【００７７】
式８を満たすのは、例えば、現在日時が４月３日１５時で完了範囲日数が２日であるときは、作業が完了した完了実績日時が４月３日１５時の２日前の４月１日１５時よりも前（４月１日１５時は含まず）の作業である。
【００７８】
尚、式５及び式６、式７及び式８の場合は、作業情報記憶手段１に記憶される作業情報に含まれるエントリー計画日付の代わりにエントリー計画日時、完了実績日付の代わりに完了実績日時を含むことが好ましく、現在日記憶手段７は現在日時を記憶しており、Ｓ２において現在日付の代わりに、現在日時を取得する。
【００７９】
取得手段４は、前記選択手段３で選択された作業情報を取得する。
【００８０】
表示手段５は、前記取得手段４で取得した作業情報を表示する。表示手段５による表示は、モニタ画面等に電気的に表示する態様でも良いし、紙等の記録媒体に印刷等の方法で表示する態様でもよい。
【００８１】
更新手段８は、表示手段５における表示内容を表示する旨の入力を受け付け、該入力に基づいて選択手段３に選択を改めて行う指示をする。
【００８２】
このように本発明の作業管理システムは、選択手段３において選択された作業情報のみを取得手段４で取得し、表示手段５で表示するので、利用性の高い作業情報を効率的に参照可能に表示することができる。また、予定された作業の作業情報と完了した作業の作業情報とを別々の範囲日数又は時間で指定して表示することができるので、予定された作業を多めに表示したいとか、完了した作業を多めに表示したいという個別の要望にそったシステムを提供することができる。
【００８３】
上記の作業管理システムは、本発明の作業管理プログラムを実現するためのソフトウエアアプリケーションを搭載したハードウエア資源（パソコン等）として実施することができる。
【００８４】
また、本発明のプログラムを記録したコンピュータ読取り可能な記録媒体としては、ＦＤ（フレキシブルディスク）、ＣＤ−ＲＯＭ、ＭＯ（光磁気ディスク）等の公知の記録媒体を用いることができる。
【図面の簡単な説明】
【図１】本発明の作業管理システムの機能ブロック図
【図２】各テーブルの構成例を示す図
【図３】作業状態変更手段におけるコマンドに基づく作業状態の変更例を示す図
【図４】作業状態情報テーブルの一例を示す図
【図５】選択手段における処理フローの一例を示す図
【符号の説明】
１：作業情報記憶手段
２：区分手段
３：選択手段
４：取得手段
５：表示手段
６：範囲日数記憶手段
７：現在日記憶手段
８：更新手段
９：作業情報変更手段
１０：作業情報テーブル
２０：作業状態情報テーブル
６０：取得範囲情報テーブル
【図１】
2004318206.tif 000002
【図２】
2004318206.tif 000003
【図３】
2004318206.tif 000004
【図４】
2004318206.tif 000005
【図５】
2004318206.tif 000006